(57)【要約】      （修正有）【課題】画像形成後の記録紙をローラシフト方式で仕分ける画像形成装置において、ジョブ毎の仕分けが設定されている場合でも、できるだけ短時間で完了させる方が好ましいジョブについては、排出ローラをシフトさせずに高速に排紙することにより、ジョブ完了までの時間を短縮する手段を提供する。【解決手段】画像形成装置は、搬送路の下流端部に軸方向にスライド可能に設けられた排出ローラ対１８と、該排出ローラ対１８を、ホームポジション及びシフトポジション３４へ移動させるシフト駆動機構１９と、ジョブ毎の仕分けが設定されている場合、実行中のジョブの種別が速度優先ジョブに一致する場合、排出ローラ対１８をホームポジションに位置させる一方、ジョブの種別が速度優先ジョブに一致しない場合、排出ローラ対１８をシフトポジション３４に位置させるプリンタコントローラと、を備えるものである。【選択図】図３
2011006169.tif 000002
【特許請求の範囲】
【請求項１】
給紙カセットから画像形成機構を経て排紙トレイへと記録紙が搬送される搬送路と、
該搬送路の下流端部に軸方向にスライド可能に設けられ、前記画像形成機構によって画像が形成された記録紙を前記排紙トレイに排出する排出ローラ対と、
該排出ローラ対を、基準排紙位置に記録紙を排出する位置であるホームポジション、及び前記基準排紙位置から離間した仕分け排紙位置に記録紙を排出する位置であるシフトポジションへ移動させるシフト駆動機構と、
前記排紙トレイに排出される記録紙についてジョブ毎の仕分けが設定されている場合、実行中のジョブの種別が予め記憶した速度優先ジョブに一致するか否かを判別し、ジョブの種別が前記速度優先ジョブに一致する場合、前記排出ローラ対を前記ホームポジションに位置させた状態で記録紙を排出する一方、ジョブの種別が前記速度優先ジョブに一致しない場合、前記排出ローラ対を前記シフトポジションに位置させた状態で記録紙を排出する制御装置と、
を備えることを特徴とする画像形成装置。
【請求項２】
前記速度優先ジョブは、ユーザが設定可能であることを特徴とする請求項１に記載の画像形成装置。
【請求項３】
前記速度優先ジョブが、コピージョブであることを特徴とする請求項１又は２に記載の画像形成装置。
【発明の詳細な説明】
【技術分野】
【０００１】
本発明は、画像を形成した記録紙を排紙トレイに排出する際に、排出ローラを軸方向にシフトさせることによってジョブ毎の仕分けを行う画像形成装置に関し、特に、印字時間の短い方が好ましいジョブの場合、排出ローラをシフトさせることなく高速に排紙しつつ、仕分けも確実に行うことが可能な画像形成装置に関する。
【背景技術】
【０００２】
記録紙に文字や図形等の画像を形成する画像形成装置、例えばプリンタ，コピー機，ファクシミリ，コピーファクシミリ複合機等が広く用いられている。この画像形成装置では、画像形成後の記録紙を排紙トレイ上の同じ位置に順次積み重ねて行くと、排紙トレイ上の記録紙をユーザが仕分けなければならない場合がある。具体的には、複数のジョブが連続して実行された場合、例えばファクシリミ受信した画像データをプリントアウトするジョブが行われた後、このジョブで排出された記録紙が排紙トレイから取り出される前に、コピージョブが実行される場合がある。この場合、コピージョブで排出された記録紙がファクシミリ受信ジョブで排出された記録紙の上に積み重なるため、ユーザは排紙トレイ上の記録紙を取り出して仕分け作業を行う必要がある。
【０００３】
そこで、ユーザによる仕分け作業の手間を省くべく、画像形成後の記録紙を排紙トレイに排出する際に、ジョブ毎に排紙位置を変化させることで仕分け状態で記録紙を排出する、いわゆる仕分け機能を備えた画像形成装置が従来提唱されている。ここで、記録紙を仕分ける方法は、いわゆるローラシフト方式とトレイシフト方式とに大別される。ローラシフト方式は、搬送路の下流端から排紙トレイに向かって記録紙を排出する排出ローラ対を、記録紙をニップした状態で軸方向にシフトさせ、排紙位置を適宜変化させる方式である（例えば、特許文献１参照）。一方、トレイシフト方式は、排出ローラ対は移動させずに排紙トレイを所定方向にシフトさせ、排紙位置を適宜変化させる方式である。
【先行技術文献】
【特許文献】
【０００４】
【特許文献１】特開平０９−１１０２５７号公報
【発明の概要】
【発明が解決しようとする課題】
【０００５】
しかし、従来の画像形成装置は、ジョブ毎の仕分けが設定されている場合、現在実行中のジョブの排紙位置を決定するに際し、直前に実行したジョブの排紙位置との関係を考慮して、仕分け可能な位置を決定する。従って、できるだけ短時間で完了させる方が好ましいジョブであるにも拘わらず、ジョブ完了までの時間が意図せず長くなる場合が生じるという問題がある。
【０００６】
例えば、前述のように最初にファクシミリ受信ジョブを実行した後、連続してコピージョブを行う場合を例に説明する。この場合、まずファクシミリ受信ジョブを実行する際には、直前に何らのジョブも実行しておらず、排紙トレイには記録紙が存在しないため、仕分けを考慮する必要がない。従って、画像形成装置は、排出ローラ対を初期位置であるホームポジションに位置させた状態で記録紙を排出する。次に、コピージョブを実行する際には、直前に実行したファクシミリ受信ジョブで排出した記録紙が排紙トレイ上に存在するため、仕分けを考慮する必要がある。そこで、画像形成装置は、ホームポジションに位置する状態の排出ローラ対に記録紙をニップさせ、この排出ローラ対をホームポジションから軸方向にシフトさせことにより、ファクシリミり受信ジョブとは異なる排紙位置に記録紙を排出する。そして、画像形成装置は、記録紙の排出後に排出ローラ対をホームポジションへと戻す。これにより、両ジョブで排出した記録紙を仕分けることができる。
【０００７】
ここで、ファクシミリ受信ジョブのように画像形成装置の傍にユーザがいない状態で実行されることが多いジョブは、ジョブ完了までに要する時間の長さは特に問題にならない。しかし、コピージョブのように画像形成装置の傍にユーザが待機した状態で実行されることが多いジョブは、できるだけ短時間でジョブが完了することが好ましい。にもかかわらず、上記のようにファクシミリ受信ジョブとコピージョブとで仕分けがなされた場合、コピージョブについては、排出ローラ対をホームポジションからシフトさせるための時間、及び排紙後に排出ローラ対をホームポジションに戻すための時間を確保する必要があり、ジョブ完了までの時間が長くなる。
【０００８】
本発明は、このような問題に鑑みてなされたものであり、画像形成後の記録紙をローラシフト方式で仕分ける画像形成装置において、ジョブ毎の仕分けが設定されている場合でも、できるだけ短時間で完了させる方が好ましいジョブについては、排出ローラをシフトさせずに高速に排紙することにより、ジョブ完了までの時間を短縮する手段を提供する。
【課題を解決するための手段】
【０００９】
上記目的を達成するための本発明に係る画像形成装置は、給紙カセットから画像形成機構を経て排紙トレイへと記録紙が搬送される搬送路と、該搬送路の下流端部に軸方向にスライド可能に設けられ、前記画像形成機構によって画像が形成された記録紙を前記排紙トレイに排出する排出ローラ対と、該排出ローラ対を、基準排紙位置に記録紙を排出する位置であるホームポジション、及び前記基準排紙位置から離間した仕分け排紙位置に記録紙を排出する位置であるシフトポジションへ移動させるシフト駆動機構と、前記排紙トレイに排出される記録紙についてジョブ毎の仕分けが設定されている場合、実行中のジョブの種別が予め記憶した速度優先ジョブに一致するか否かを判別し、ジョブの種別が前記速度優先ジョブに一致する場合、前記排出ローラ対を前記ホームポジションに位置させた状態で記録紙を排出する一方、ジョブの種別が前記速度優先ジョブに一致しない場合、前記排出ローラ対を前記シフトポジションに位置させた状態で記録紙を排出する制御装置と、を備えるものである。
【００１０】
また、本発明に係る画像形成装置は、前記速度優先ジョブは、ユーザが設定可能であることを特徴とするものである。
【００１１】
また、本発明に係る画像形成装置は、前記速度優先ジョブが、コピージョブであることを特徴とするものである。
【発明の効果】
【００１２】
本発明に係る画像形成装置によれば、実行中のジョブが速度優先ジョブであれば、直前に実行したジョブの排紙位置とは無関係に、常に排出ローラ対がホームポジションに位置した状態で記録紙が基準排紙位置に排出される。従って、排出ローラ対をホームポジションからシフトさせるための時間、及び排紙後に排出ローラ対をホームポジションに戻すための時間を確保する必要がない。これにより、できるだけ短時間で完了させる方が好ましいジョブを実行する場合には、高速な排紙が可能となる分、ジョブ完了までに要する時間を短縮することができる。
【００１３】
また、実行中のジョブが速度優先ジョブ以外のジョブであれば、直前に実行したジョブの排紙位置とは無関係に、常に排出ローラ対がシフトポジションに位置した状態で記録紙が仕分け排紙位置に排出される。従って、速度優先ジョブで排出された記録紙とそれ以外のジョブで排出された記録紙とが混ざり合うことがない。また、速度優先ジョブは、ユーザが画像形成装置の傍に待機した状態で実行されることが多いので、速度優先ジョブを連続して実行した場合には、ジョブ完了毎にユーザが排紙トレイから記録紙を取り出すことができる。従って、異なる速度優先ジョブで排出された記録紙同士が混ざり合うことがない。これにより、本画像形成装置によれば、速度優先ジョブでは常に基準排紙位置に記録紙が排出されるが、ジョブ毎の仕分けも確実に行うことができる。
【００１４】
また、本発明に係る画像形成装置によれば、速度優先ジョブをユーザが設定可能であるので、ユーザ毎の使用態様に応じて速度優先ジョブを変更することができ、便利である。
【００１５】
また、本発明に係る画像形成装置によれば、ユーザが傍に待機した状態で実行されるのが通常であるコピージョブにおいて、ジョブ完了までに要する時間を短縮することができ、利便性が向上する。
【図面の簡単な説明】
【００１６】
【図１】本発明の実施例に係る画像形成装置１の構成を示す模式図。
【図２】排紙ユニット１４を拡大した部分拡大斜視図。
【図３】排紙ユニット１４を拡大した部分拡大斜視図。
【図４】速度優先モードが設定されている場合における本画像形成装置１の仕分け処理の流れを示すフローチャート。
【発明を実施するための形態】
【００１７】
まず、本発明の実施例に係る画像形成装置の構成について説明する。本実施例に係る画像形成装置は、原稿の複写機能のほか、ファクシミリ通信機能、インターネットファクシミリ通信機能、プリンタ機能、などを備えたコピーファクシミリ複合機として構成されている。ここで、図１は、本画像形成装置１の構成を示す模式図である。尚、図１では、コピーファクシミリ複合機のうち記録紙に画像を形成するプリンタ部２のみを図示しているが、本画像形成装置１は、このプリンタ部２以外に、ユーザが各種の操作を行なうための操作部、及び原稿の画像を読み取るためのスキャナ部等も備えている。
【００１８】
プリンタ部２は、給紙カセット３から排紙トレイ４に至る搬送路５と、給紙カセット３に収容された記録紙６を１枚ずつ搬送路５に繰り込む分離給紙ユニット７と、搬送路５の所定位置に設けられた感光ドラム８及びその表面にトナー像を形成するプロセスユニット９からなる画像形成機構１０と、感光ドラム８に密着して設けられ搬送路５を搬送される記録紙６を感光ドラム８に密着させて前記トナー像を転写する転写ローラ１１と、感光ドラム８の下流側に設けられ記録紙６を加熱及び加圧することでトナー像を記録紙６に定着させる定着ユニット１２と、この定着ユニット１２より下流側の位置で記録紙６の通過を検知する記録紙検知センサ１３（図１では「ＰＤＳ」と示す）と、搬送路５の下流端から排紙トレイ４に向けて記録紙６を排紙する排紙ユニット１４と、プリンタ部２を構成する各部の動作を制御するプリンタコントローラ１５と、を備えている。
【００１９】
図２は、前記排紙ユニット１４を拡大した部分拡大斜視図である。排紙ユニット１４は、画像形成後の記録紙６を排紙トレイ４に排出する際に、ジョブ毎に仕分けた状態で排出する、いわゆる仕分け機能を備えている。この排紙ユニット１４は、装置本体を構成する左右のハウジング１６，１７の間に架け渡すように設けられた排出ローラ対１８と、この排出ローラ対１８の軸方向一端側に設けられたシフト駆動機構１９と、排出ローラ対１８の軸方向他端側に設けられたローラ位置検知センサ２０（図１では「ＲＰＳ」と示す）とから構成される。尚、本発明においてジョブとは、あるユーザが発した１つの命令に基づいて実行される一連の画像形成動作を意味し、例えば１０枚の原稿を５部ずつコピーする命令であれば、計５０枚の記録紙６について画像を形成する一連の動作全体を指してジョブと呼ぶ。
【００２０】
排出ローラ対１８は、図２に示すように、搬送路５を挟んで下側に配置された送りローラ２１と、上側に配置された押圧ローラ２２とを備えている。送りローラ２１は、積極回転して記録紙６を下流側へ送る役割を果たすものであって、そのローラ軸２３に沿ってゴム製のローラ本体２４が複数個設けられている。この送りローラ２１は、そのローラ軸２３の両端部が左右のハウジング１６，１７にそれぞれ挿通され、軸廻りに回転可能に且つ軸方向にスライド可能となっている。そして、図１に示すように、送りローラ２１は回転用モータ２５によって回転駆動され、この回転用モータ２５の回転がプリンタコントローラ１５（制御装置）によって制御されている。
【００２１】
一方、押圧ローラ２２は、搬送路５を搬送される記録紙６を送りローラ２１に押し付ける役割を果たすものであって、そのローラ軸２６に沿って樹脂等からなるローラ本体２７が複数個設けられている。この押圧ローラ２２も、そのローラ軸２６の両端部が左右のハウジング１６，１７にそれぞれ挿通され、軸廻りに回転可能に且つ軸方向にスライド可能となっている。そして、押圧ローラ２２の各ローラ本体２７は、送りローラ２１の各ローラ本体２４にそれぞれ密着している。これにより、送りローラ２１の回転に従って押圧ローラ２２も回転するようになっている。
【００２２】
シフト駆動機構１９は、排出ローラ対１８に軸方向への駆動力を付与するためのものである。このシフト駆動機構１９は、図２に示すように、駆動源としてのシフト用モータ２８と、周面に複数の歯を有しシフト用モータ２８によって回転駆動されるギア２９と、ギア２９の回転駆動力を直線運動に変換する駆動力変換部材３０とを備えるものである。ここで、図１に示すように、シフト用モータ２８は、その回転がプリンタコントローラ１５によって制御されている。また、図２に示すように、駆動力変換部材３０は、そのローラ軸固定部３１が送りローラ２１のローラ軸２３と押圧ローラ２２のローラ軸２６の両方に固定されるとともに、このローラ軸固定部３１と一体化した平板状のラック部３２に、ギア２９と噛み合う複数の歯が形成されている。
【００２３】
このように構成されるシフト駆動機構１９によれば、シフト用モータ２８に駆動されてギア２９が正回転すなわち図２で時計廻りに回転すると、ラック部３２でギア２９に噛み合った駆動力変換部材３０が軸方向に沿ってハウジング１６側へ移動する。そうすると、駆動力変換部材３０のローラ軸固定部３１によって一体化された送りローラ２１及び押圧ローラ２２が共にハウジング１６側へスライドする。これにより、排出ローラ対１８の全体が、ハウジング１６側へシフトする。一方、シフト用モータ２８に駆動されてギア２９が逆回転すなわち図２で反時計廻りに回転すると、駆動力変換部材３０が軸方向に沿ってハウジング１５側へ移動する。そうすると、送りローラ２１及び押圧ローラ２２が共にハウジング１５側へスライドする。これにより、排出ローラ対１８の全体が、ハウジング１５側へシフトする。
【００２４】
ローラ位置検知センサ２０は、シフト可能な排出ローラ対１８の現在位置を検知するためのものである。このローラ位置検知センサ２０は、いわゆる反射式の光学センサであって、図１に示すように、プリンタコントローラ１５に対して電気的に接続されている。そして、ローラ位置検知センサ２０は、排出ローラ対１８に光を照射してその反射光を検出するか否かによって、排出ローラ対１８が図２に示すホームポジション３３に位置するか否かを検知する。その結果、排出ローラ対１８がホームポジション３３に位置することを検知すると、ローラ位置検知センサ２０はプリンタコントローラ１５に対してＯＮ信号を発する。一方、排出ローラ対１８がホームポジション３３に位置しない、すなわち図３に示すシフトポジション３４に位置することを検知すると、ローラ位置検知センサ２０はプリンタコントローラ１５に対してＯＦＦ信号を発する。
【００２５】
ここで、ホームポジション３３とは、搬送路５を搬送されてきた記録紙６をそのままストレートに排出する位置、すなわち記録紙搬送方向に直交する方向へは記録紙６を動かさずに排出する位置のことである。排出ローラ対１８がこのホームポジション３３に位置する状態で排出された記録紙６は、図２に示すように、排紙トレイ４上における基準排紙位置３５に排出される。一方、シフトポジション３４とは、ホームポジション３３から水平方向に所定距離だけ離間した位置のことであって、搬送路５を搬送されてきた記録紙６を記録紙搬送方向に直交する方向へ動かして排出する位置のことである。排出ローラ対１８がこのシフトポジション３４に位置する状態で排出された記録紙６は、図３に示すように、排紙トレイ４上における仕分け排紙位置３６に排出される。尚、シフトポジション３４の位置は図３の位置に限られず、ホームポジション３３からの離間距離及び個数等は任意に設定変更が可能である。
【００２６】
前記記録紙検知センサ１３は、排出ローラ対１８をシフトさせるタイミングを図るためのものである。より詳細に説明すると、記録紙６が定着ユニット１２と排紙ユニット１４の両方によってニップされた状態において排出ローラ対１８を軸方向にシフトさせると、記録紙６の破損或いは記録紙６の詰まり等の問題が生じる。そこで、このような問題を防止するには、記録紙６の後端が定着ユニット１２を抜けるのを待って排出ローラ対１８をシフトさせる必要がある。記録紙検知センサ１３は、いわゆる反射式の光学センサであって、図１に示すように、プリンタコントローラ１５に対して電気的に接続されている。そして、記録紙検知センサ１３は、搬送路５に向けて光を照射し、その反射光を検出するか否かによって記録紙６が通過中であるか否かを検知する。その結果、反射光を検知し、記録紙６が通過中であると検知すると、記録紙検知センサ１３はプリンタコントローラ１５に対してＯＮ信号を反する。一方、反射光を検知せず記録紙６は通過していないと検知すると、記録紙検知センサ１３はプリンタコントローラ１５に対してＯＦＦ信号を発する。
【００２７】
前記プリンタコントローラ１５は、図１に示すように、記憶装置としてのＲＡＭ３７を内蔵している。そして、このＲＡＭ３７には、「速度優先モード」が現在設定されているか否かが記憶されている。この速度優先モードとは、記録紙６の仕分けよりもジョブ完了までの時間の短縮化を優先させる処理モードであって、不図示の操作部を介してユーザが設定または設定解除を選択できるようになっている。更に、ＲＡＭ３７には、「速度優先ジョブ」に該当するジョブ種別として、コピージョブが予め記憶されている。この速度優先ジョブは、できるだけ短時間で完了させることが好ましいジョブ種別であって、本実施例では、画像形成装置１の傍にユーザが待機した状態で実行されることが多いコピージョブを、速度優先ジョブに指定している。但し、画像形成装置１の使用態様によっては、コピージョブ以外のジョブ種別、例えばファクシミリ受信した画像情報をプリントアウトするファクシミリ受信ジョブ、またはパソコンのデータをプリントアウトするプリンタージョブ等を速度優先ジョブに指定してもよい。また、速度優先ジョブの指定は、画像形成装置１の出荷時にデフォルト設定として予めＲＡＭ３７に記憶させてもよいし、操作部を介してユーザが任意に指定できるようにしてもよい。
【００２８】
次に、速度優先モードが設定されている場合における本画像形成装置１の仕分け処理の流れについて、図４に示すフローチャートに基づいて説明する。プリンタコントローラ１５は、画像形成が完了して搬送路５から排出しようとする記録紙６について、その記録紙６の後端が図１に示す記録紙検知センサ１３の位置を通過するまで待機している。すなわち、プリンタコントローラ１５は、記録紙６の先端が到達して記録紙検知センサ１３からＯＮ信号が発せられた状態から、記録紙の後端が通過して記録紙検知センサ１３からＯＦＦ信号が発せられる状態になるまで待機する（Ｓ１：Ｎｏ）。そして、記録紙６の後端が記録紙検知センサ１３の位置を通過したことを検知すると（Ｓ１：Ｙｅｓ）、プリンタコントローラ１５は、記録紙６の後端が定着ユニット１２を抜けて排出ローラ対１８を軸方向にシフトさせ得る状態になったと判断する。
【００２９】
次に、プリンタコントローラ１５は、現在実行中のジョブの種別が、図１に示すＲＡＭ３７に記憶した速度優先ジョブに一致するか否か、本実施例ではコピージョブであるか否かを判別する（Ｓ２）。そして、その結果、実行中のジョブの種別が速度優先ジョブに一致する場合、すなわちコピージョブである場合（Ｓ２：Ｙｅｓ）、プリンタコントローラ１５はＳ４へ進み、記録紙６が搬送路５を更に下流側へ搬送され、その後端が排出ローラ対１８を抜けるまで待機する（Ｓ４：Ｎｏ）。そして、記録紙６の後端が排出ローラ対１８を抜けて（Ｓ４：Ｙｅｓ）図２に示す基準排紙位置３５に排出されると、プリンタコントローラ１５は、排出ローラ対１８を初期化する、すなわち排出ローラ対１８をその現在位置によらずホームポジション３３へと戻す（Ｓ５）。そして、プリンタコントローラ１５は、処理を終了する。尚、記録紙６の後端が排出ローラ対１８を抜けたか否かの検知は、例えば図１に示す記録紙検知センサ１３が記録紙６の後端を検知してからの経過時間を計測する一方、記録紙６の後端が記録紙検知センサ１３を通過してから排出ローラ対１８を抜けるまでに要する所要時間を予め記憶し、経過時間が所要時間に達したか否かを見ることで行うことができる。
【００３０】
一方、Ｓ２での判別の結果、実行中のジョブの種別が速度優先ジョブに一致しない場合、すなわちコピージョブ以外のジョブである場合（Ｓ２：Ｎｏ）、プリンタコントローラ１５は、記録紙６をニップした状態の排出ローラ対１８を図２に示すホームポジション３３から図３に示すシフトポジション３４へとシフトさせる（Ｓ３）。その後、プリンタコントローラ１５は、記録紙６が搬送路５を更に下流側へ搬送され、その後端が排出ローラ対１８を抜けるまで待機する（Ｓ４：Ｎｏ）。そして、記録紙６の後端が排出ローラ対１８を抜けて（Ｓ４：Ｙｅｓ）図３に示す仕分け排紙位置３６に排出されると、プリンタコントローラ１５は、排出ローラ対１８をホームポジション３３へと戻し（Ｓ５）、処理を終了する。尚、シフトポジション３４をホームポジション３３からの離間距離によって複数種類設けてある場合、プリンタコントローラ１５は、Ｓ３において排出ローラ対１８をシフトポジション３４へシフトさせる際に、直前に実行されたジョブの排紙位置との関係で仕分け可能なシフトポジション３４を適宜選択すればよい。
【００３１】
このように、本画像形成装置１の仕分け処理によれば、現在実行中のジョブの種別が予め記憶した速度優先ジョブに一致する時は、ジョブ毎の仕分けが設定されている場合であっても、それ以前に実行されたジョブでの排紙位置とは無関係に、常に排出ローラ対１８を図２に示すホームポジション３３に位置させた状態で記録紙６を基準排紙位置３５に排出する。従って、速度優先ジョブの実行時には、排出ローラ対１８をホームポジション３３から図３に示すシフトポジション３４へとシフトさせる時間、及びシフトポジション３４からホームポジション３３へと戻す時間は確実に不要となり、排紙ユニット１４による高速な排紙が可能となる。これにより、速度優先ジョブの実行時には、ジョブ完了までの時間を短縮することができ、それ以前に実行したジョブの排紙位置との関係で速度優先ジョブのジョブ完了までに要する時間が意図せず長くなることはない。
【００３２】
また、速度優先ジョブはユーザが画像形成装置１の傍にいる状態で実行されるのが通常である。従って、速度優先ジョブを開始しようとする時に、速度優先モードを設定する前のジョブで排出された記録紙６が基準排紙位置３５に存在する場合は、速度優先ジョブの実行に先立って、ユーザが直前のジョブで排出された記録紙６を排紙トレイ４から取り出すことができる。これにより、速度優先ジョブで排出された記録紙６がそれ以前のジョブで排出された記録紙６と混ざり合うことを未然に防止することができる。また、ユーザが画像形成装置１の傍にいるので、速度優先ジョブを連続して実行する場合も、速度優先ジョブが完了する度にユーザが記録紙６を排紙トレイ４から取り出すことができる。従って、速度優先ジョブを連続して実行しても、各速度優先ジョブで排出された記録紙６が互いに混ざり合うことはない。
【００３３】
一方、現在実行中のジョブの種別が予め記憶した速度優先ジョブに一致しない時は、それ以前に実行されたジョブでの排紙位置とは無関係に、常に排出ローラ対１８をシフトポジション３４に位置させた状態で記録紙６を仕分け排紙位置３６に排出する。これにより、速度優先ジョブ以外のジョブで排出された記録紙６が、速度優先ジョブで排出された記録紙６と混ざり合うことがない。また、速度優先ジョブ以外のジョブが複数回実行された場合、各ジョブにおいて排紙位置を決定するに際には、複数種類設けられたシフトポジション３４のうち、それ以前に実行されたジョブでの排紙位置との関係で仕分け可能なシフトポジション３４が適宜選択される。これにより、速度優先ジョブ以外のジョブで排出された記録紙６同士が混ざり合うこともなく、確実なる仕分けが可能となる。
【産業上の利用可能性】
【００３４】
尚、本画像形成装置は、コピーファクシミリ複合機としてだけでなく、複写機能のみを備えるコピー専用機、ファクシミリ通信機能のみを備えるファクシミリ専用機、或いはプリンタとして構成することも可能である。
【符号の説明】
【００３５】
１  画像形成装置
３  給紙カセット
４  排紙トレイ
５  搬送路
６  記録紙
１０  画像形成機構
１５  プリンタコントローラ（制御装置）
１８  排出ローラ対
１９  シフト駆動機構
３３  ホームポジション
３４  シフトポジション
３５  基準排紙位置
３６  仕分け排紙位置
【図１】
2011006169.tif 000003
【図２】
2011006169.tif 000004
【図３】
2011006169.tif 000005
【図４】
2011006169.tif 000006